(57)【特許請求の範囲】
【請求項１】
炭化水素中の水銀を測定する方法であって、
活性アルミナ、金、銀、担体に金をコーティングした物質、担体に銀をコーティングした物質のうち少なくとも一つの、水銀を吸着する吸着剤が充填されたカラムに、水銀を含まないガスを流しながら、測定対象の炭化水素を注入して、これに含まれる水銀を前記吸着剤に吸着させ、水銀以外の揮発成分を取り除いた後、
前記吸着剤に吸着した水銀を気化させて原子吸光水銀分析装置により測定する水銀測定方法。
【請求項２】
炭化水素中の有機水銀と金属水銀を分別捕集して測定する方法であって、
有機水銀を吸着する第１吸着剤が充填された第１カラムと、金属水銀を吸着する第２吸着剤が充填された第２カラムとを直列に接続し、
これらカラムに水銀を含まないガスを流しながら、第１カラムに測定対象の炭化水素を注入し、
この第１カラムを加熱することにより、炭化水素中の金属水銀をガス状にして第１吸着剤を通過させるとともに、この第１吸着剤に有機水銀を吸着させ、
次いで第２カラムの第２吸着剤により金属水銀を吸着させて、
第１および第２カラムで分別捕集された有機水銀および金属水銀を水銀測定器により測定する方法。
【請求項３】
炭化水素中の水銀を測定する装置であって、
活性アルミナ、金、銀、担体に金をコーティングした物質、担体に銀をコーティングした物質のうち少なくとも一つの、水銀を吸着する吸着剤が充填されたカラムと、
このカラムに水銀を含まないガスを流すポンプと、
前記カラムに前記ガスが流れている状態で測定対象の炭化水素を注入する注入器と、
前記吸着剤に吸着した水銀を気化させて測定する原子吸光水銀分析装置とを備えた水銀測定装置。
【請求項４】
炭化水素中の有機水銀および金属水銀を分別捕集して測定する装置であって、
有機水銀を吸着する第１吸着剤が充填された第１カラムと、
炭化水素中のガス状金属水銀が第１吸着剤を通過するように、第１カラムを加熱する加熱器と、
この第１カラムと直列に接続されて金属水銀を吸着する第２吸着剤が充填された第２カラムと、
第１および第２カラムに水銀を含まないガスを流すポンプと、
前記第１カラムに前記ガスが流れている状態で測定対象の炭化水素を注入する注入器と、
前記第１および第２カラムで分別捕集された有機水銀および金属水銀を測定する水銀測定器とを備えた水銀測定装置。
【発明の詳細な説明】
【０００１】
【発明の属する技術分野】
本発明は、ナフサやＬＰＧ（液化石油ガス）などの炭化水素中に含まれる水銀を測定する方法および装置に関するものである。
【０００２】
【従来の技術】
ナフサのような炭化水素には、ジメチル水銀などの水銀が含まれていることがある。これらの水銀は、ナフサから各種の石油化学製品を作るときに用いられるパラジウムや白金などの触媒の能力を劣化させる。このため、炭化水素中の水銀を測定して、水銀が一定量以上含まれているような場合は、これを除去するなどの対策を立てる必要がある。
【０００３】
そこで従来では、加熱気化分析装置などを用い、その試料ボートに炭化水素からなる試料を直接投入し、この試料ボートを燃焼管の中で加熱することにより、試料に含まれる水銀を気化させて測定している。また、測定時には、水銀測定の妨げとなる試料から発生する妨害ガスを除去するために添加剤を試料とともに加えている。
【０００４】
【発明が解決しようとする課題】
しかし、以上の水銀測定方法では、加熱により試料に含まれる水銀を気化させるとき、同時に炭化水素が揮発して可燃性のガスが発生する。従って、急激な可燃性ガスの発生を防止するため、試料の量や種類および流量、試料の昇温速度など厳しい測定条件が要求される。また、前記添加剤の選択にも厳しい条件が要求される。
【０００５】
そこで、本発明は、以上の厳しい測定条件を緩和して、容易に水銀測定を行うことができる水銀測定方法と装置を提供することを目的としている。
【０００６】
【課題を解決するための手段】
上記目的を達成するため、請求項１の水銀測定方法は、水銀を吸着する吸着剤が充填されたカラムに、水銀を含まないガスを流しながら、測定対象の炭化水素を注入して、これに含まれる水銀を前記吸着剤に吸着させ、水銀以外の揮発成分を取り除いた後、水銀を水銀測定器により測定する。
【０００７】
この方法では、水銀を含まないガスがカラムに流されている状態で、カラムに測定対象の炭化水素が注入され、この炭化水素に含まれる水銀がカラム内の吸着剤により吸着される。また、水銀が吸着除去された残りの炭化水素は、前記ガスと一緒に外部に排出されてカラムから取り除かれる。そして、カラムが水銀測定器に挿入され、カラム内の吸着剤で吸着した水銀が加熱気化されて測定される。この測定時に、水銀を加熱気化させても、炭化水素は既にカラムから取り除かれているので、可燃性ガスは発生しない。またカラム内には、これに流される水銀を含まないガスと、吸着剤で吸着された水銀だけが存在し、水銀測定時の妨げとなる妨害ガスは存在しないので、この妨害ガスを除去するための添加剤を添加する必要もない。このため、従来のように厳しい測定条件を必要とすることなく、容易に水銀の測定が行える。また、測定時の安全性を確保する上で、従来では一度に測定可能な炭化水素の最大量が１００μＬであったのを、この発明の方法では２００μＬ以上にすることができ、このため炭化水素に含まれる水銀の正確な測定が可能となる。
【０００８】
請求項２の水銀測定方法は、炭化水素に含まれる水銀を有機水銀と金属水銀に分別捕集して、それぞれを測定することに特徴がある。この発明では、有機水銀を吸着する第１吸着剤が充填された第１カラムと、金属水銀を吸着する第２吸着剤が充填された第２カラムとを直列に接続し、これらカラムに水銀を含まないガスを流しながら、第１カラムに測定対象の炭化水素を注入し、この第１カラムを加熱することにより、炭化水素中の金属水銀をガス状にして第１吸着剤を通過させるとともに、この第１吸着剤に有機水銀を吸着させ、次いで第２カラムの第２吸着剤により金属水銀を吸着させて、第１および第２カラムで分別捕集された有機水銀および金属水銀を水銀測定器により測定する。
【０００９】
この方法では、水銀を含まないガスが第１および第２カラムに流れている状態で、この第１カラムに測定対象の炭化水素が注入される。そして、第１カラムが加熱されることにより、炭化水素中の金属水銀はガス状となって第１カラム内の第１吸着剤を通過し、この第１吸着剤には有機水銀だけが吸着される。また、ガス状の金属水銀は前記ガスとともに第２カラムに送られ、その内部の第２吸着剤に吸着される。さらに、有機および金属水銀が吸着除去された炭化水素は、前記ガスととも外部に排出されて各カラムから取り除かれる。この後、第１，第２カラムが水銀測定器に挿入されて、各カラム内の吸着剤で分別捕集された各水銀がそれぞれ加熱気化されて測定される。このとき、第１発明の場合と同様に、加熱により各水銀を気化させても、炭化水素は既にカラムから取り除かれているので、可燃性ガスは発生しない。またカラム内には、水銀測定時の妨げとなる妨害ガスは存在しないので、この妨害ガスを除去するための添加剤を添加させる必要もない。このため、厳しい測定条件を必要とすることなく、容易に有機および金属水銀の分別した測定が行える。
【００１０】
請求項３の水銀測定装置は、請求項１の方法を実施するためのものであって、炭化水素中の水銀を吸着する吸着剤が充填されたカラムと、このカラムに水銀を含まないガスを流すポンプと、前記カラムに前記ガスが流れている状態で測定対象の炭化水素を注入する注入器と、前記吸着剤に吸着した水銀を測定する水銀測定器とを備えている。
【００１１】
請求項４の水銀測定装置は、請求項２の方法を実施するためのものであって、有機水銀を吸着する第１吸着剤が充填された第１カラムと、炭化水素中のガス状金属水銀が吸着剤を通過するように、第１カラムを加熱する加熱器と、この第１カラムと直列に接続されて金属水銀を吸着する第２吸着剤が充填された第２カラムと、第１および第２カラムに水銀を含まないガスを流すポンプと、前記第１カラムに前記ガスが流れている状態で測定対象の炭化水素を注入する注入器と、前記第１および第２カラムで分別捕集された有機水銀および金属水銀を測定する水銀測定器とを備えている。
【００１２】
【発明の実施の形態】
以下、本発明を図面に基づいて説明する。
図１は本発明の第１実施形態に係る測定装置の概略を示す。この測定装置は、長さ方向両端に石英ウールなどが固定され、内部に吸着剤１１が充填された細長い管状のカラム１と、このカラム１の下流側に設けられ、その内部に水銀（有機水銀や金属水銀）を含まないキャリヤー用のガスＧとして、例えば空気を流す吸引ポンプ２と、前記カラム１内に前記ガスＧが流れている状態で炭化水素からなる試料Ｓを注入するマイクロシリンジのような注入器３と、前記吸着剤１１に吸着した水銀（有機水銀や金属水銀）を加熱気化させて測定する例えば加熱気化分析装置（原子吸光水銀分析装置）のような水銀測定器４を備えている。
【００１３】
前記カラム１に充填する吸着剤１１としては、ナフサなどの炭化水素中に含まれ、石油化学製品の製造時に有害物質となる特に有機水銀（ジメチル水銀などの水銀化合物）に対し優れた吸着能を有し、また金属水銀に対しても吸着能を有する、例えば活性アルミナ（Ａｌ2Ｏ3）、金や銀などのアマルガムを形成する物質、または適切な担体に前記アマルガムを形成する物質をコーティングした物質などが用いられる。特に前者の活性アルミナは、有機水銀に対し、後者の物質は金属水銀に対し、それぞれ優れた吸着能を有している。また、前記注入器３としては、マイクロシリンジが好適に用いられ、これを用いることにより試料Ｓを短時間で一挙にカラム１内に注入できる。
【００１４】
同図の実施形態では、前記カラム１の上流側に、空気Ｇ中に含まれる水銀を除去する充填剤５１が充填された水銀除去フィルタ５を接続している。これにより、カラム１に空気Ｇ中の水銀が入って試料Ｓの水銀測定の誤差となるのを防止している。この充填材５１としては、例えば前記空気Ｇ中の水銀と反応してアマルガムを生成する金や銀などの粒状体やウール状細線、多孔質担体の表面に金や銀などをコーティングしたものなどが用いられる。また、前記ポンプ２の下流側には、制御弁６と流量計７を接続している。上流側から、前記水銀除去フィルタ５、カラム１、ポンプ２、制御弁６、流量計７が、それぞれ配管１０により直列に接続されている。
【００１５】
次に、以上の装置を用いた第１発明の水銀測定方法について説明する。
先ず、前記ポンプ２の駆動により、キャリヤー用の空気Ｇを０．２Ｌ／ｍｉｎ程度の流量で吸引しながら、水銀除去フィルタ５を経てカラム１へと流す。前記空気Ｇは、フィルタ５を通過するとき、その内部の充填材５１により空気Ｇに含まれる水銀が吸着除去され、この水銀除去された空気Ｇが前記カラム１に供給される。
【００１６】
また、前記空気Ｇがカラム１に流されている状態で、注入器３により内部に、測定対象であるナフサなどの炭化水素からなる試料Ｓが注入され、この試料Ｓが前記空気Ｇとともに吸着剤１１を通過するとき、これにより試料Ｓ中の有機水銀および金属水銀が吸着捕集される。この水銀除去された試料Ｓは、ポンプ２により、前記空気Ｇとともに外部に排出されてカラム１から取り除かれる。この後、前記カラム１を、配管１０から取り外して、加熱気化分析装置のような水銀測定器４に入れ、カラム１内の吸着剤１１で吸着捕集した水銀を加熱気化させてトータル水銀を測定する。
【００１７】
この水銀測定器４において、吸着材１１で吸着した水銀が加熱により気化されるとき、試料Ｓ中の炭化水素は既にカラム１から取り除かれているので、可燃性ガスは発生しない。また、カラム１内には、これに流される水銀を含まないキャリヤー用の空気Ｇと、吸着剤１１で吸着された水銀だけが存在し、水銀測定時の妨げとなる炭化水素などの妨害ガスは存在しないので、この妨害ガスを除去するための添加剤を添加する必要もなくなる。このため、従来のように厳しい測定条件を必要とすることなく、容易に水銀測定が行える。また、水銀測定時に試料Ｓから可燃性ガスが発生しないことから、従来に比べて測定可能な試料Ｓの量を大きくできるので、試料Ｓに含まれるトータル水銀の正確な測定が可能となる。
【００１８】
図２は第２実施形態に係る測定装置の概略を示す。
この測定装置は、有機水銀を吸着する第１吸着剤８１が充填された第１カラム８と、これを加熱して試料Ｓ中の金属水銀をガス状にして第１吸着  剤８１を通過させ、有機水銀を第１吸着剤８１に吸着させる加熱器８０と、第１カラム８に直列に接続されて金属水銀を吸着する第２吸着剤９１が充填された第２カラム９とを備えている。
【００１９】
また、第１実施形態と同様に、前記第１および第２カラム８，９の下流側には、これらにキャリヤー用のガスとして空気Ｇを流すポンプ２が、第１カラム８には空気Ｇが流された状態で内部に試料Ｓを注入するマイクロシリンジのような注入器３が設けられている。さらに、前記加熱器８０の加熱により第１，第２カラム８，９の吸着剤８１，９１で分別捕集した有機水銀と金属水銀を測定する、例えば加熱気化分析装置などの水銀測定器４を備えている。また、第１カラム８の上流側には、各カラム８，９に流される空気Ｇ中の水銀を除去する水銀除去フィルタ５が、前記ポンプ２の下流側には制御弁６および流量計７が接続されている。上流側から、水銀除去フィルタ５、第１および第２カラム８，９、ポンプ２、制御弁６、流量計７が、それぞれ配管１０により直列に接続される。
【００２０】
前記第１カラム８内に充填する第１吸着剤８１としては、温度条件によって金属水銀と有機水銀（水銀化合物）および炭化水素に対する担持力が異なるものが用いられ、例えば活性アルミナ（Ａｌ2Ｏ3）が好適に使用される。この活性アルミナは、１５０℃程度に加熱しても有機水銀に対して優れた吸着能を発揮し、一方、金属水銀や炭化水素は１５０℃程度に加熱することによりガス状となって活性アルミナには吸着されない。従って、活性アルミナを用いることにより、有機水銀と金属水銀の分別捕集が可能となる。
【００２１】
また、前記第２カラム９内に充填する第２吸着剤９１としては、前記水銀除去フィルタ５の場合と同様に、水銀と反応してアマルガムを作って除去する例えば金や銀などの粒状体やウール状細線、多孔質担体の表面に金や銀などをコーティングしたものなどが用いられる。これらの吸着剤９１を用いれば、前記加熱器８０でガス状とされた金属水銀が確実に吸着される。
【００２２】
次に、以上の装置を用いた第２発明の水銀測定方法について説明する。
先ず、前記ポンプ２の駆動により、キャリヤー用の空気Ｇが水銀除去フィルタ５を経て第１および第２カラム８，９内に流される。前記空気Ｇは、フィルタ５を通過するとき、その内部の充填材５１により空気Ｇに含まれる水銀が吸着除去されて、この水銀除去された空気Ｇが前記カラム１に供給される。
【００２３】
また、前記空気Ｇが第１カラム８に流されている状態で、その内部に注入器３により試料Ｓが注入される。このとき、第１カラム８が加熱器８０で加熱されることにより、第１コラム８内の第１吸着剤８１には試料Ｓ中の有機水銀だけが吸着され、試料Ｓ中の金属水銀はガス状となって、試料Ｓ中の炭化水素とともに第１吸着剤８１を通過する。この第１吸着剤８１で吸着されないガス状の金属水銀は、炭化水素とともに第２カラム９に送られて、その内部の第２吸着剤９１により、金属水銀が吸着捕集される。また、前記各吸着剤８１，９１により有機水銀と金属水銀が除去された炭化水素は、ポンプ２により、前記空気Ｇとともに外部に排出されて、各カラム８，９から取り除かれる。この後、各カラム８，９を、配管１０から取り外し、それぞれ個別に加熱気化分析装置のような水銀測定器４に入れ、各カラム８，９内の吸着剤８１，９１により分別捕集された有機水銀と金属水銀を加熱気化させて測定する。
【００２４】
この水銀測定器４において、吸着材８１，９１で吸着された有機水銀と金属水銀が加熱により気化されても、試料Ｓ中の炭化水素は既に各カラム８，９から取り除かれているので、可燃性ガスは発生しない。また各カラム８，９の内部には、これらに流される水銀を含まないキャリヤー用の空気Ｇと、吸着剤１１で吸着された有機水銀と金属水銀だけが存在し、水銀測定時の妨げとなる炭化水素のような妨害ガスは存在しないので、この妨害ガスを除去するための添加剤を添加する必要もなくなる。このため、厳しい測定条件を必要とすることなく、容易に有機水銀と金属水銀の分別した測定が行える。また、水銀測定時に試料Ｓから可燃性ガスが発生しないことから、測定可能な試料Ｓの量を大きくできるので、試料Ｓに含まれる有機水銀と金属水銀の正確な測定が可能となる。
【００２５】
以上の第２実施形態では、有機水銀と金属水銀を分別して両者の正確な測定が行える。これに対し、第１実施形態では、トータル水銀が水銀測定器４により測定される。第１および第２実施形態においては、ナフサなどの液状炭化水素に限らず、ガス状炭化水素の測定も行うことができる。
【００２６】
【発明の効果】
以上のように、本発明によれば、水銀測定を行う場合の厳しい測定条件を緩和して、容易に炭化水素に含まれる水銀の測定を行うことができる。
【図面の簡単な説明】
【図１】第１発明に用いる水銀測定装置を示す配管図である。
【図２】第２発明に用いる水銀測定装置を示す配管図である。
【符号の説明】
１…カラム、１１…吸着剤、２…ポンプ、３…注入器、４…水銀測定器、８…第１カラム、８０…加熱器、９…第２カラム、８１，９１…吸着剤、Ｇ…ガス、Ｓ…炭化水素（試料）。
【図１】
0004301676.tif 000002
【図２】
0004301676.tif 000003